(57)【要約】【課題】扉体等への設置作業が簡易であり、且つ、防水性にも優れたシール部材、及びシール部材の電気機器収納用箱体への設置方法を提供する。【解決手段】シール部材１１を、左右方向に長い棒状に形成するとともに、その短手方向での中央部に、前面から後面に至る切り込み１２を、長手方向に沿って一端部から他端部にかけて設けている。また、シール部材１１の左右両端部、及び切り込み１２に沿った所定位置に「く」字状の外向き切り欠き１３Ａ、１３Ｂや内向き切り欠き１４Ａ、１４Ｂを夫々設けている。そして、シール部材１１の切り込み１２を押し広げることにより、棒状だったシール部材１１を角環状に変形可能とした。【選択図】図４
2017026062.tif 000002
【特許請求の範囲】
【請求項１】
前面に開口する箱本体と、前記箱本体の前記開口を開閉すべく前記箱本体に片開き自在に蝶着された扉体とからなる電気機器収納用箱体に対し、前記扉体の内面側の外周縁部と前記箱本体の開口周縁部との何れかに沿って角環状に設置される合成樹脂製のシール部材であって、
前記シール部材が、所定方向に長い棒状に形成されているとともに、
その短手方向での中央部に、前面から後面に至る切り込みが、長手方向に沿って一端部から他端部にかけて設けられており、
前記切り込みを押し広げ、棒状の前記シール部材を角環状に変形させることにより、前記切り込みを境とした一方側が上辺部及び左右何れかの一方の側辺部となり、他方側が下辺部及び他方の側辺部となることを特徴とするシール部材。
【請求項２】
棒状にある前記シール部材の長手方向両端部に、夫々外側へ向かって開く「く」字状の外向き切り欠きを設ける一方、前記切り込みに沿った所定位置に、前記切り込みに向かってひらく一対の「く」字状の内向き切り欠きを設け、
前記切り込みを押し広げて角環状に変形させる際、各前記切り欠きにおいて、その端面同士を密接させることにより、隣り合う辺部同士を直交させて隅部を形成可能としたことを特徴とする請求項１に記載のシール部材。
【請求項３】
所定方向に長い棒状に形成されているとともに、その短手方向での中央部に、前面から後面に至る切り込みが、長手方向に沿って一端部から他端部にかけて設けられたシール部材を、前面に開口する箱本体と、前記箱本体の前記開口を開閉すべく前記箱本体に片開き自在に蝶着された扉体とからなる電気機器収納用箱体に対し、前記扉体の内面側の外周縁部と前記箱本体の開口周縁部との何れかに沿って角環状に設置するためのシール部材の電気機器収納用箱体への設置方法であって、
前記切り込みを押し広げ、棒状の前記シール部材を角環状に変形させることにより、前記切り込みを境とした一方側を上辺部及び左右何れかの一方の側辺部とし、他方側を下辺部及び他方の側辺部とする第１工程と、
角環状とされた前記シール部材を、前記扉体の内面側の外周縁部と前記箱本体の開口周縁部との何れかに沿って貼着する第２工程と
を実行することを特徴とするシール部材の電気機器収納用箱体への設置方法。
【発明の詳細な説明】
【技術分野】
【０００１】
本発明は、たとえば分電盤や配電盤等といった電気機器収納用箱体に設置されるシール部材、及びシール部材の電気機器収納用箱体への設置方法に関するものである。
【背景技術】
【０００２】
従来、分電盤や配電盤等の各種電気機器を収納するための電気機器収納用箱体としては、前面に開口を有する箱本体の前面側に、その開口を開閉するための扉体を、左右何れか一方の側部を軸として片開き自在に蝶着したものが一般的に知られている。そして、そのような扉体には、たとえば特許文献１に記載されているように、扉体内面の外周縁部に沿ってシール部材が環状に設置されており、扉体の閉塞時における防水性の向上が図られている。
【先行技術文献】
【特許文献】
【０００３】
【特許文献１】特開２０１０−２７０８７６号公報
【発明の開示】
【発明が解決しようとする課題】
【０００４】
扉体の内面側に環状のシール部材を設置する一般的な方法としては、角柱状の元部材を扉体の寸法にあわせて切断し、上辺部材、左右両側辺部材、及び下辺部材を作成する。そして、扉体の各隅部で辺部材同士を密着させつつ、扉体の外周縁部に沿って対応する辺部材を夫々貼着させることにより、環状のシール部材を設置するといった方法が採用されている。しかしながら、そのようにして設置される環状のシール部材では、４つの辺部材を切り出さなければならない上、辺部材同士を密着させつつ、複数の辺部材を貼着する必要があることから、シール部材の設置作業が煩わしいという問題がある。また、たとえ辺部材同士をどれだけ密着させたとしても、その繋ぎ目から水が浸入しやすく、防水性の点でも依然として問題を抱えている。
【０００５】
そこで、本発明は、上記問題に鑑みなされたものであって、扉体等への設置作業が簡易であり、且つ、防水性にも優れたシール部材、及びシール部材の電気機器収納用箱体への設置方法を提供しようとするものである。
【課題を解決するための手段】
【０００６】
上記目的を達成するために、本発明のうち請求項１に記載の発明は、前面に開口する箱本体と、前記箱本体の前記開口を開閉すべく前記箱本体に片開き自在に蝶着された扉体とからなる電気機器収納用箱体に対し、前記扉体の内面側の外周縁部と前記箱本体の開口周縁部との何れかに沿って角環状に設置される合成樹脂製のシール部材であって、前記シール部材が、所定方向に長い棒状に形成されているとともに、その短手方向での中央部に、前面から後面に至る切り込みが、長手方向に沿って一端部から他端部にかけて設けられており、前記切り込みを押し広げ、棒状の前記シール部材を角環状に変形させることにより、前記切り込みを境とした一方側が上辺部及び左右何れかの一方の側辺部となり、他方側が下辺部及び他方の側辺部となることを特徴とする。
請求項２に記載の発明は、請求項１に記載の発明において、棒状にある前記シール部材の長手方向両端部に、夫々外側へ向かって開く「く」字状の外向き切り欠きを設ける一方、前記切り込みに沿った所定位置に、前記切り込みに向かってひらく一対の「く」字状の内向き切り欠きを設け、前記切り込みを押し広げて角環状に変形させる際、各前記切り欠きにおいて、その端面同士を密接させることにより、隣り合う辺部同士を直交させて隅部を形成可能としたことを特徴とする。
一方、上記目的を達成するために、本発明のうち請求項３に記載の発明は、所定方向に長い棒状に形成されているとともに、その短手方向での中央部に、前面から後面に至る切り込みが、長手方向に沿って一端部から他端部にかけて設けられたシール部材を、前面に開口する箱本体と、前記箱本体の前記開口を開閉すべく前記箱本体に片開き自在に蝶着された扉体とからなる電気機器収納用箱体に対し、前記扉体の内面側の外周縁部と前記箱本体の開口周縁部との何れかに沿って角環状に設置するためのシール部材の電気機器収納用箱体への設置方法であって、前記切り込みを押し広げ、棒状の前記シール部材を角環状に変形させることにより、前記切り込みを境とした一方側を上辺部及び左右何れかの一方の側辺部とし、他方側を下辺部及び他方の側辺部とする第１工程と、角環状とされた前記シール部材を、前記扉体の内面側の外周縁部と前記箱本体の開口周縁部との何れかに沿って貼着する第２工程とを実行することを特徴とする。
【発明の効果】
【０００７】
本発明によれば、シール部材を、所定方向に長い棒状に形成するとともに、その短手方向での中央部に、前面から後面に至る切り込みを、長手方向に沿って一端部から他端部にかけて設けており、切り込みを押し広げ、棒状のシール部材を角環状に変形させることにより、切り込みを境とした一方側が上辺部及び左右何れかの一方の側辺部となり、他方側が下辺部及び他方の側辺部となるようにしている。そのため、角環状に変形させた一連のシール部材を扉体の内面側の外周縁部と箱本体の開口周縁部との何れかに沿って貼着するだけで、シール部材を設置することができる。したがって、従来のように４つの辺部材を切り出す必要もないし、辺部材同士を密着させつつ複数の辺部材を貼着する必要もなく、シール部材の設置作業が容易である。また、シール部材が一連の部材であって、従来のように繋ぎ目がないため、防水性を向上することができる。
【図面の簡単な説明】
【０００８】
【図１】扉体が開放された状態にある電気機器収納用箱体を示した斜視説明図である。
【図２】扉体へ貼着する前のシール部材を正面側から示した説明図である。
【図３】シール部材を環状に広げる途中にある状態を示した説明図である。
【図４】シール部材を環状に広げきった状態を示した説明図である。
【発明を実施するための形態】
【０００９】
以下、本発明の一実施形態となるシール部材、及びシール部材の電気機器収納用箱体（以下、単に収納箱と称す）への設置方法について、図面をもとに説明する。
【００１０】
図１は、扉体３が開放された状態にある収納箱１を示した斜視説明図である。図２は、扉体３へ貼着する前のシール部材１１を正面側から示した説明図である。図３は、シール部材１１を環状に広げる途中にある状態を示した説明図である。図４は、シール部材１１を環状に広げきった状態を示した説明図である。
【００１１】
収納箱１は、前面に開口を有する箱本体２と、箱本体の開口を開閉する扉体３とを備えてなる。箱本体２は、天板、左右両側板、背板、及び底板を有して前面を除く５面（上面、左右両側面、後面、及び下面）が閉塞された箱体であり、その内部空間に、分電盤等の各種電気機器を収納可能となっている。また、箱本体２の前面の開口周縁部には、前方へ延設された後に上下左右外方へ折り返されてなる水切り部４が設けられている。さらに、箱本体２の前面には、水切り部４を含めて箱本体２の開口を開閉する扉体３が取り付けられている。該扉体３は、外周縁部が後側へ折り曲げられてなり、箱本体２に対し右側部を軸として片開き自在となっている。
【００１２】
また、扉体３の左側面部には、使用者が回動操作可能なハンドル５が取り付けられている。一方、箱本体２の水切り部４の左部表面には、ハンドル５が係合可能な受け具６が取り付けられており、扉体３を閉塞した状態においてハンドル５を回動させ、ハンドル５を受け具６に係合させることにより、扉体３を閉塞状態のまま維持可能となっている。加えて、扉体３の内面側には、扉体３の外周縁部に沿って角環状のシール部材１１が設置されており、扉体３を閉塞した際、箱本体２の開口周縁部に密着して、箱本体２内への水の浸入を防止している。
【００１３】
ここで、本発明に要部となるシール部材１１について詳細に説明する。
シール部材１１は、従来のシール部材同様、合成樹脂により成形されてなるものであって、左右方向へ長い棒体とされており、長手方向の長さは、上辺部（若しくは下辺部）と左右何れか側辺部とを足し合わせた長さと略同じとなっている。また、短手方向の長さは、環状のシール部材１１とした際の各辺部における内外方向（扉体３の内外方向）での幅の略２倍となっている。そして、シール部材１１の長手方向両端部には、夫々外側へ向かって開く「く」字状に形成された外向き切り欠き１３Ａ、１３Ｂが設けられている。なお、シール部材１１の後面は、シール部材１１を扉体３へ貼着するための接着剤が塗布された貼着面とされている。
【００１４】
また、シール部材１１の短手方向での略中央部には、前面から後面に至る切り込み１２が、その長手方向に沿って一端部から他端部にかけて設けられている。したがって、切り込み１２を境に、その上側部分の幅や下側部分の幅が、従来の辺部材の内外方向での幅と同じとなっている。そして、切り欠き１２の上辺側（切り込み１２を境とした一方側）であって、長手方向一端側までの長さが上辺部（若しくは下辺部）の長さとなる位置、すなわち他端側までの長さが側辺部の長さとなる位置には、下側へ向かって開く（切り込み１２へ向かって開く）「く」字状に形成された内向き切り欠き１４Ａが設けられている。一方、切り欠き１２の下辺側（切り込み１２を境とした他方側）であって、長手方向一端側までの長さが側辺部の長さとなる位置、すなわち他端側までの長さが下辺部（若しくは上辺部）の長さとなる位置には、上側へ向かって開く（切り込み１２へ向かって開く）「く」字状に形成された内向き切り欠き１４Ｂが設けられている。したがって、内向き切り欠き１４Ａと内向き切り欠き１４Ｂとは、シール部材１１の中心を中心として点対称の関係にある。
【００１５】
そして、上記シール部材１１は、以下のようにして扉体３の内面側に設置される。
シール部材１１を扉体３の内面側に設置するに際しては、まずシール部材１１の切り込み１２を押し広げ、切り込み１２の上側で内向き切り欠き１４Ａを境に長手方向長さの短い側を水平に寝かせて上辺部１１Ａとし、長い側を鉛直に起立させて側辺部１１Ｂとする（本実施形態では、内向き切り欠き１４Ａの右側を上辺部１１Ａとし、左側を左側辺部１１Ｂとする）。また、切り込み１２の下側で内向き切り欠き１４Ｂを境に長手方向長さの短い側を水平に寝かせて下辺部１１Ｃとし、長い側を鉛直に起立させて側辺部１１Ｄとする（本実施形態では、内向き切り欠き１４Ｂの左側を下辺部１１Ｃとし、右側を右側辺部１１Ｄとする）。このとき、外向き切り欠き１３Ａ、１３Ｂ、及び内向き切り欠き１４Ａ、１４Ｂでは、図４に示すように、各切り欠きにおいて端面同士を密接させることにより、隣り合う２つの辺部同士を直交させて隅部を形成すればよい。すると、棒状だったシール部材１１が角環状に変形するため、当該角環状としたままシール部材１１を扉体３の内面に貼着すれば、扉体３の内面にシール部材１１を設置することができる。
【００１６】
以上のように構成されるシール部材１１によれば、シール部材１１を、左右方向に長い棒状に形成するとともに、その短手方向での中央部に、前面から後面に至る切り込み１２を、長手方向に沿って一端部から他端部にかけて設けている。また、シール部材１１の左右両端部、及び切り込み１２に沿った所定位置に「く」字状の外向き切り欠き１３Ａ、１３Ｂや内向き切り欠き１４Ａ、１４Ｂを夫々設けている。そして、シール部材１１の切り込み１２を押し広げ、切り込み１２の上側で内向き切り欠き１４Ａを境に長手方向長さの短い側を水平に寝かせて上辺部１１Ａとし、長い側を鉛直に起立させて側辺部１１Ｂとするとともに、切り込み１２の下側で内向き切り欠き１４Ｂを境に長手方向長さの短い側を水平に寝かせて下辺部１１Ｃとし、長い側を鉛直に起立させて側辺部１１Ｄとすることにより、棒状だったシール部材１１を角環状に変形可能としている。さらには、そのようにして角環状に変形されたシール部材１１を、その状態のまま扉体３の内面側の外周縁部に沿って貼着することにより、扉体３の内面側への設置を可能としている。
【００１７】
したがって、従来のように、上辺部材、左右両側辺部材、及び下辺部材の４つの辺部材を切り出す必要もないし、辺部材同士を密着させつつ複数の辺部材を貼着する必要もなく、シール部材１１の設置を容易に行うことができる。また、シール部材１１が一連の部材であって、従来のように繋ぎ目がないため、防水性を向上することができる。さらに、外向き切り欠き１３Ａ、１３Ｂ、及び内向き切り欠き１４Ａ、１４Ｂでは、各切り欠きにおいて端面同士を密接させることにより、隣り合う２つの辺部同士を直交させて隅部を形成することができるため、棒状であったシール部材１１を、一層容易に角環状のシール部材１１へと変形させることができる。
【００１８】
なお、本発明の収納箱に係る構成は、上記実施形態に記載の態様に何ら限定されるものではなく、箱本体や扉体の構成等は勿論、シール部材に係る構成についても、本発明の趣旨を逸脱しない範囲で、必要に応じて適宜変更することができる。
【００１９】
たとえば、上記実施形態では、扉体の内面側にシール部材を設置しているが、箱本体の開口周縁部にシール部材を設置してもよい。
また、シール部材を角環状とするに際し、辺部同士が直交する隅部を設けずとも、湾曲したＲ状の隅部としてもよく、そのような場合には、内向き切り欠きや外向き切り欠きを設けずともよい。
さらに、棒状に形成されたシール部材のどこを上辺部とし、どこを側辺部とするか等については適宜設計変更可能である。
【符号の説明】
【００２０】
１・・収納箱（電気機器収納用箱体）、２・・箱本体、３・・、扉体、１１・・シール部材、１１Ａ・・上辺部、１１Ｂ、１１Ｄ・・側辺部、１１Ｃ・・下辺部、１２・・切り込み、１３Ａ、１３Ｂ・・外向き切り欠き、１４Ａ、１４Ｂ・・内向き切り欠き。
【図１】
2017026062.tif 000003
【図２】
2017026062.tif 000004
【図３】
2017026062.tif 000005
【図４】
2017026062.tif 000006